【手続補正書】
【提出日】平成16年5月27日(2004.5.27)
【手続補正１】
【補正対象書類名】明細書
【補正対象項目名】特許請求の範囲
【補正方法】変更
【補正の内容】
【特許請求の範囲】
【請求項１】
ハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の一方の腕部の内縁に上記接触部が設けられ、開放位置と閉位置との間で移動自在な加圧部材が上記開口部に設けられ、該加圧部材の開放時に上記開口部内へ前方から挿入されるフレキシブル基板の回路面が上記一方の腕部の接触部に対向して配置された後に加圧部材の閉位置への移動時に該加圧部材の加圧部からの力により上記接触部へ圧せられる電気コネクタにおいて、複数の端子は、前後方向の異なる位置で接触部を有する複数種の端子から成り、上記加圧部材が閉位置に移動された際に、一種の端子は、上記一方の腕部が接触部にてフレキシブル基板からの力を受けて該力の方向に他種の端子の接触部よりも底部側に撓むように弾性を有し、他方の腕部が一方の腕部の撓みに追従して変位しフレキシブル基板を圧し、該フレキシブル基板が他種の端子の接触部を圧するようになっていることを特徴とするフレキシブル基板用電気コネクタ。
【請求項２】
加圧部材は、開放位置と閉位置との間で回動自在となっていることとする請求項１に記載のフレキシブル基板用電気コネクタ。
【請求項３】
ハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の一方の腕部の内縁に上記接触部が設けられ、開放位置と閉位置との間で移動自在な加圧部材が上記開口部に設けられ、該加圧部材の開放時に上記開口部内へ前方から挿入されるフレキシブル基板の回路面が上記一方の腕部の接触部に対向して配置された後に加圧部材の閉位置への移動時に該加圧部材の加圧部からの力により上記接触部へ圧せられる電気コネクタにおいて、複数の端子は、前後方向の異なる位置で接触部を有する複数種の端子から成り、一種の端子は、上記一方の腕部が接触部にてフレキシブル基板からの力を受けた際に、該一方の腕部が該力の方向に撓むように弾性を有し、他方の腕部が一方の腕部の撓みに追従して変位しフレキシブル基板を仲介部材を経て圧し、該フレキシブル基板が他種の端子の接触部と接触するようになっていることを特徴とするフレキシブル基板用電気コネクタ。
【請求項４】
仲介部材は、端子配列方向にて複数の端子の範囲にわたり延びており、他方の腕部からの力を仲介部材が他種の端子の接触部に対してフレキシブル基板を押圧するように伝達することとする請求項１に記載のフレキシブル基板用電気コネクタ。
【請求項５】
ハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の一方の腕部の内縁に上記接触部が設けられ、開放位置と閉位置との間で移動自在な加圧部材が上記開口部に設けられ、該加圧部材の開放時に上記開口部内へ前方から挿入されるフレキシブル基板の回路面が上記一方の腕部の接触部に対向して配置された後に加圧部材の閉位置への移動時に該加圧部材の加圧部からの力により上記接触部へ圧せられる電気コネクタにおいて、加圧部材は、開放位置から閉位置へ直動して挿入可能となっており、複数の端子は、前後方向の異なる位置で接触部を有する複数種の端子から成り、一種の端子は、上記一方の腕部が接触部にてフレキシブル基板からの力を受けた際に、該一方の腕部が該力の方向に撓むように弾性を有し、他方の腕部が一方の腕部の撓みに追従して変位しフレキシブル基板を直接もしくは仲介部材を経て圧し、該フレキシブル基板が他種の端子の接触部と接触するようになっていることを特徴とするフレキシブル基板用電気コネクタ。
【請求項６】
ハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の一方の腕部の内縁に上記接触部が設けられ、開放位置と閉位置との間で移動自在な加圧部材が上記開口部に設けられ、該加圧部材の開放時に上記開口部内へ前方から挿入されるフレキシブル基板の回路面が上記一方の腕部の接触部に対向して配置された後に加圧部材の閉位置への移動時に該加圧部材の加圧部からの力により上記接触部へ圧せられる電気コネクタにおいて、複数の端子は、前後方向の異なる位置で接触部を有する複数種の端子から成り、一種の端子は、上記一方の腕部が接触部にてフレキシブル基板からの力を受けた際に、該一方の腕部が該力の方向に撓むように弾性を有し、他方の腕部が一方の腕部の撓みに追従して変位しフレキシブル基板を圧し、該フレキシブル基板が他種の端子の内縁に突起状に設けられて上記一種の端子の接触部よりも先方に位置する接触部と接触するようになっていることを特徴とするフレキシブル基板用電気コネクタ。
【請求項７】
ハウジングの開口部もしくはその内方に端子の接触部が配設された端子を複数有し、各端子がハウジングの底部側に位置する下腕部とこれに対して上方に位置する上腕部とをそれぞれ前方に延びるようにして有し、上記上腕部と下腕部の一方の腕部の内縁に上記接触部が設けられ、開放位置と閉位置との間で移動自在な加圧部材が上記開口部に設けられ、該加圧部材の開放時に上記開口部内へ前方から挿入されるフレキシブル基板の回路面が上記一方の腕部の接触部に対向して配置された後に加圧部材の閉位置への移動時に該加圧部材の加圧部からの力により上記接触部へ圧せられる電気コネクタにおいて、複数の端子は、前後方向の異なる位置で接触部を有する複数種の端子から成り、一種の端子は、該端子の上部に位置する上腕部の基部に下腕部が連結されて一体となっており、上記一方の腕部が接触部にてフレキシブル基板からの力を受けた際に、該一方の腕部が該力の方向に撓むように弾性を有し、他方の腕部が一方の腕部の撓みに追従して変位しフレキシブル基板を直接もしくは仲介部材を経て圧し、該フレキシブル基板が他種の端子の接触部と接触するようになっていることを特徴とするフレキシブル基板用電気コネクタ。
【手続補正２】
【補正対象書類名】明細書
【補正対象項目名】００１５
【補正方法】変更
【補正の内容】
【００１５】
【課題を解決するための手段】
本発明に係るフレキシブル基板用電気コネクタは、ハウジングの開口部もしくはその内方に端子の接触部が配設された端子を複数有している。各端子はハウジングの底部側に位置する下腕部とこれに対して上方に位置する上腕部とをそれぞれ前方に延びるようにして有している。上記上腕部と下腕部の一方の腕部の内縁には上記接触部が設けられている。又、ハウジングには、開放位置と閉位置との間で移動自在な加圧部材が上記開口部に取りつけられ、該加圧部材の開放時に上記開口部内へ前方から挿入されるフレキシブル基板の回路面が上記一方の腕部の接触部に対向して配置された後に加圧部材の閉位置への移動時に該加圧部材の加圧部からの力により上記接触部へ圧せられる。
【手続補正３】
【補正対象書類名】明細書
【補正対象項目名】００１６
【補正方法】変更
【補正の内容】
【００１６】
かかる電気コネクタにおいて、本発明は、複数の端子が、前後方向の異なる位置で接触部を有する複数種の端子から成り、上記加圧部材が閉位置に移動された際に、一種の端子は、上記一方の腕部が接触部にてフレキシブル基板からの力を受けて該力の方向で他種の端子の接触部よりも底部側に撓むように弾性を有し、他方の腕部が一方の腕部の撓みに追従して変位しフレキシブル基板を圧し、該フレキシブル基板が他種の端子の接触部を圧するようになっていることを特徴としている。
【手続補正４】
【補正対象書類名】明細書
【補正対象項目名】００１７
【補正方法】変更
【補正の内容】
【００１７】
上述のごとくの構成の本発明では、フレキシブル基板をハウジングの開口部にて開放位置から閉位置させる。閉位置では、加圧部材がフレキシブル基板を圧し、一種の端子の一方の腕部が接触部にてこのフレキシブル基板からの押圧力を受けて弾性撓みを生ずる。この端子の他方の腕部は上記一方の腕部の撓みに伴い変位を生じ、これによってフレキシブル基板を圧する。その結果、フレキシブル基板が他種の端子の接触部を圧するようになる。かくして、コネクタは加圧部材が薄型でもそれぞれ確実な接触圧を得られるので、コネクタの小型化（低背化）を可能とする。
【手続補正５】
【補正対象書類名】明細書
【補正対象項目名】００１８
【補正方法】変更
【補正の内容】
【００１８】
加圧部材は、開放位置と閉位置との間で回動自在となっている形式のものでも、開放位置から閉位置へ直動して挿入可能となっている形式のものでもよい。
【手続補正６】
【補正対象書類名】明細書
【補正対象項目名】００１９
【補正方法】変更
【補正の内容】
【００１９】
本発明において、フレキシブル基板は仲介部材を介して上記他方の腕部により圧せられるようにすることもできる。その際、仲介部材は、端子配列方向にて複数の端子の範囲にわたり延びており、他方の腕部からの力を仲介部材が他種の端子の接触部に対してフレキシブル基板を押圧するように伝達するようにできる。かかる仲介部材は板状の剛性部材であることが剛性の向上の点で好ましい。剛性が大きいとさらに小型化そして接触圧の均一化が向上する。尚、剛性材としては絶縁体の他、絶縁被覆された金属部材がある。更に、金属部材の絶縁体の任意位置を取り去り、任意の端子と電気的に導通させてグランド回路と導通させてグランド部材とすることもできる。
さらに本発明では、上記一種の端子は、該端子の上部に位置する上腕部の基部に下腕部が連結されて一体となっているようにすることもできる。
【手続補正７】
【補正対象書類名】明細書
【補正対象項目名】００２０
【補正方法】削除
【補正の内容】